(57)【要約】【課題】従来の装身具を身体に取り付けるには装身具の両端を連結させなければならず、取り付け取り外しが面倒であり、又、リング状のものは、指先を窄めて通す面倒さがあり、落下の危険性も残されていた。【課題を解決するための手段】  本発明は、アルミニュウム、銅、真鍮から成る群のいずれか一つの素材で形成した芯棒と、可撓性を備え且つ外側に膨張しない硬度を備えたチューブ体との間に粒度３５０メッシュより細かい鉱石及び／又はセラミックスの粉体を充填させた線棒状装身具としたことにより解決した。【選択図】図２
2007135735.tif 000002
【特許請求の範囲】
【請求項１】
アルミニュウム、銅、真鍮から成る群のいずれか一つの素材で形成した芯棒と、可撓性を備え且つ外側に膨張しない硬度を備えたチューブ体との間に粒度３５０メッシュより細かい鉱石及び／又はセラミックスの粉体を充填させたことを特長とする線棒状装身具。
【請求項２】
請求項１に記載の線棒状装身具において、上記セ鉱石及び／又はセラミックスの紛体をモザナイト又は貴陽石の鉱石の粉体としたことを特長とする線棒状装身具。                                                        
【発明の詳細な説明】
【技術分野】
【０００１】
本発明は、ブレスレット、ネックレス、及びアンクレット等の装身具に関し、更に詳細には、屈曲自在で且つ形態保持性を備えた装身具に関する。
【背景技術】
【０００２】
従来、ブレスレット、ネックレスまたはアンクレット等の装身具には、例えば、金属製の駒を鎖状に連結したもの、真珠の玉を数珠状に連結したものがあり、これらは身体に取り付けるには装身具の両端に設けられたフック等の連結部により手で連結させ、装身具を取り外すときは連結部の連結を解除させていた。
更に、革やプラスチックをリング状にしたものがあり、これらは指先から腕をリング内に通して着脱していた。
例えば、特許文献１には、「腕輪 （６）を形成するリンク（８）は、円柱状棒（９）により互いに順次関節的に連結され、これらリンクおよび棒は、柔軟連結材（１０）により共に保持されている。リンク（８）は、その硬度が７．５モース以上の鉱物材料から作られている。」なる腕輪が提案されている。
【特許文献１】特開平１１−２３９５０４
【発明の開示】
【発明が解決しようとする課題】
【０００３】
しかしながら、装身具の両端に設けられた連結部の連結および解除は面倒であり、ブレスレットの取り付けには片手で装身具の両端を連結しなければならず、ネックレスを取り付けには鏡の前で、また、アンクレットの取り付けには椅子に座って連結しなければならいことがあった。又、リング状のものは、指先を窄めて通す面倒さがあり、落下の危険性も残される。
特許文献１のものでは、腕輪を形成するリンク８が柔軟連結材で連結されるが、リング状のものと同様、腕に通す面倒さがあり、使用中には腕との一体感の不足するものである。
そこで本発明は、曲げ自在で且つ形態維持性を有することにより連結部を設ける必要がなく、更にその屈曲された際の姿態が美しい曲線を残すことのできる線棒状の装身具を開発したものである。
【課題を解決するための手段】
【０００４】
この目的を達するために、請求項１の発明にあっては、アルミニュウム、銅、真鍮から成る群のいずれか一つの素材で形成した芯棒と、可撓性を備え且つ外側に膨出しない硬度を備えたチューブ体の間に粒度３５０メッシュより細かいセ鉱石及び／又はセラミックスの粉体を充填させた線棒状の装身具としたことにより解決した。
【０００５】
請求項２の発明にあっては、上記鉱石及び／又はセラミックスの粉体をモザナイト又は貴陽石の健康増進効果のある鉱石の粉体とした。装身具の取り付け取り外しが容易であるのに加えて健康増進効果のある装身具である。
【発明の効果】
【０００６】
請求項１に係わる発明の線棒状装身具により、線棒状装身具を取り付けるときは、線棒状装身具に可撓性があるので軽い力で身体に巻きつけることができ、巻きつけたときの形状は前記セラミックスの紛体が作用し鋭角に曲がることなく自然な曲線となり、曲げた形状が保持され、装身具が身体から外れることがない。また、取り外しは巻きつけられた線棒状装身具を広げるだけでよい。従って、装身具両端を連結する必要がなく身体に巻きつけるだけであるので取り付け取り外しが容易となると共に、取り付けたときの形状は鋭角に曲がることなく自然な美しい曲線となり装身具として価値を高めている。
【０００７】
請求項２に係わる発明の装身具により、装身具の取り付け取り外しが容易であるのに加えて健康効果があり血行を促し凝りや痛みを緩和することができる。
【発明を実施するための最良の形態】
【０００８】
本発明を実施するための最良の形態を図面に基づき説明する。
図１は本発明の一例の線棒状装身具１を曲げたときの斜視図である。線棒状装身具１は装身具本体２の両端にキャップ３が取り付けられる。図２は線棒状装身具本体２の半径方向の断面図である。芯棒６とチューブ体４の間に紛体５を充填する。
【０００９】
図３は線棒状装身具１を曲げたときの長手方向の一部断面図である。芯棒６はアルミニュウム、銅、真鍮からなる群のいずれかひとつであり、軟質性の金属素材であり、婦人、子供、老人でも曲げ可能な軟質で且つ太さのものである。該アルミニュウム、銅、真鍮は何度もの曲げによっても折れなく、曲げた後にその形状が保持される。
該芯棒６を囲堯してチューブ体４を形成し、該チューブ体４は、可撓性を備え且つ外側に膨出しない硬度を備えたウレタンチューブとした。該チューブ体４は、可撓性を備えて上記芯棒６とともに屈曲自在とすると共に、後述の粉体５との関係で、屈曲の際に粉体５が介在して外側に張り出して局部的な凸凹を生じないよう、外側への膨張を抑制できる硬さとする。
そして、上記芯棒６と外側のチューブ体４との間には、鉱石又はセラミックスの粉体４を充填させ、該粉体４は、芯棒６とチューブ体４との間に介在して、当該芯棒６及びチューブ体４の屈曲性を緩和する役割を果たすものである。即ち、上記屈曲自在とした芯棒６及びチューブ体４も、その屈曲性が過度となると、細かく曲がり過ぎて美しい曲線とならず、適当な大きさのカーブ曲線が残せなくなり、装身具としての価値を低めてしまうこととなり、そこで、両者間に粉体４を介設することとした。
従って、粉体５は充填されたとき一定の可撓性を保つよう粒度３５０メッシュより細かい鉱石又はセラミックスの粉体とし、これをチューブ体４の中に（移動できる隙間を有さないまで）充填させる。
同時に、該粉体５には、装身具として身体に装着させた際に、健康効果を増進させるものが望ましく、例えば、モザナイト、貴陽石とする。
モザナイトは、セリウム、ランタン、ネオジウムを主成分とする燐酸塩鉱物で、マイナスイオンを発生しホルミシス効果を有する鉱石である。貴陽石は、群馬県の御座入鉱山の白亜紀の地殻変動に伴う高熱温水作用に形成された鉱石で、マイナスイオンの発生と遠赤外線放射に優れた鉱石である。
上記例は鉱石を挙げたが、遠赤外線の放射能に優れたセラミックスでも良い。
【００１０】
次いで上記実施例に基づく作用を説明すると、線棒状装身具１を身体に取り付けるために手で曲げると、アルミニュウム、銅、真鍮のいずれかひとつの軟質金属からなる芯棒６とウレタンからなるチューブ体４は可撓性があるので曲がり、芯棒６が軟質金属であるので、そのままで曲げたときの形状が保持できる。
即ち、従来の如く、装着時に指先からリングに腕を通したり、フック等の連結具を着脱させる面倒さがなくなり、そのままで装着できると共に使用中に落としてしまう危険もない。
そして使用中にあっては、上述の如く、棒状装身具１が芯棒６とチューブ体４のみの構成であると、曲がり角度が鋭角に成り過ぎて美しい自然曲線とはならなく、曲げた後の形状はでこぼこ状となり装身具としては価値を低下させる恐れがある。
しかし、本発明の線棒状装身具１はセラミックスの粉体５が芯棒６とチューブ体４の間に充填されており、チューブ体4から芯棒６へ伝わる曲げの力が緩和分散され、芯棒６の一部に曲げの力が加わることを避け、芯棒６の曲げが滑らかで柔らかいものとなる。
このとき、棒状装身具１を曲げたときの粉体は曲線半径方向の外側が疎となり内側が密となり、密となった内側には曲がり難く、つまり小さな曲がり角度でなく一定以上の大きな曲がり角度を保つものとなる。
同時に、曲げたときチューブ体４が膨出しないので内側の粉体が外側に移動するのを少なくし、線棒状装身具１を曲げ難くし、一定以上の大きさの曲がり角度の維持の効果を向上させる。
【００１１】
このとき粉体５を、モザナイト又は貴陽石とすれば、モザナイトはマイナスイオンを発生しホルミシス効果を発揮し、貴陽石はマイナスイオンと共に遠赤外線を放射してそれぞれ健康増進効果を発揮する。
【００１２】
図４は線棒状装身具１をブレスレットとして手７に取り付けたときの斜視図であり、手７に棒状装身具１を2回に巻きつけている。取り付け取り外しが容易でありながら、自然曲線をなし造形美のある装身具とすることができた。アンクレットの場合も同様である。
【００１３】
次にネックレスの例について説明する。図５に示す如く、線棒状装身具１の全体を伸ばして１巻きとし、それを首に巻き付けることでネックレスとなる。
【００１４】
このように、本発明線棒状装身具１は、それ一つを持っていることで、屈曲自在性とその形態維持性があるので、あるときには、それを２重巻きにしてブレスレット又はアンクレットとし、またあるときには、全体を伸ばして１本のネックレスとすることができ、一個の装身具が幾つもの使い道に応用できる便がある。
【００１５】
上記の例では線棒状装身具１の粉体５にセラミックスを使用しているが、粉体５を健康効果のある鉱石の粉体としたものである。取り付け取り外しが容易であり、自然曲線をなし造形美のある装身具であるのに加えて健康効果がある装身具とすることができた。
【実施例】
【００１６】
本発明の実施例として健康効果がある装身具について説明する。
芯棒６を長さ３０ｃｍ直径２ｍｍのアルミニュウム棒とした。チューブ体４を長さ３０cmで外形６ｍｍ内径４ｍｍ厚さ１ｍｍのウレタンチューブとした。粉体５はマイナスイオンを発生しホルミシス効果のあるモナザイト３．５ｇとマイナスイオンを発生し遠赤外線を放射する貴陽石３．５ｇを混ぜ合わせた粒度３００メッシュ以下の粉体とした。この線棒状装身具１は手で曲げやすく、曲げた形状が自然曲線となった。
ネックレスとして使用するときは長さが短いチョーカーとして使用でき、ブレスレットおよびアンクレットと使用するときは身体に2回巻きつけて使用することができる。
【産業上の利用可能性】
【００１７】
本発明装身具は、ブレスレット、ネックレス、アンクレットの装身具として利用可能である。
【図面の簡単な説明】
【００１８】
【図１】本発明の一例の線棒状装身具を曲げたときの斜視図である。
【図２】線棒状装身具の径方向の断面図である。
【図３】線棒状装身具を曲げたときの長手方向の一部断面図である。
【図４】線棒状装身具をブレスレットとして手に取り付けたときの斜視図である。
【図５】線棒状装身具をネックレスとして取り付けたときの斜視図である。
【符号の説明】
【００１９】
１          線棒状装身具
２          線棒状装身具本体
３          キャップ
４          チューブ体
５          粉体      
６          芯棒
７          手
【図４】
2007135735.tif 000003
【図５】
2007135735.tif 000004
【図１】
2007135735.tif 000005
【図２】
2007135735.tif 000006
【図３】
2007135735.tif 000007